(57)【要約】【課題】コスト削減及び小型化を図ることのできる携帯端末装置を提供する。【解決手段】携帯電話機１はバッテリ２０を着脱可能なバッテリ装着部１１が本体部１０の背面に設けられる。バッテリ２０は電源供給用の接続端子２１を有し、接続端子２１に近接してＩＣカード３０を保持するＩＣカード保持部２２が凹設される。ＩＣカード３０はＳＩＭやＰＣカード等から成り、電源用及び通信用の接続端子３１が設けられる。本体部１０には、バッテリ２０装着時にＩＣカードの接続端子３１に接触できるＩＣカード用端子１４と、バッテリ２０の接続端子２１に接触するバッテリ用端子１３とを一体に形成したコネクタ１２を設けた。【選択図】      図１
2004312481.tif 000002
【特許請求の範囲】
【請求項１】
ＩＣカードを保持するＩＣカード保持部を有したバッテリを本体部に装着して電源供給される携帯端末装置において、ＩＣカードの接続端子に接触できるＩＣカード用端子と前記バッテリの接続端子に接触するバッテリ用端子とを一体に形成したコネクタを前記本体部に設けたことを特徴とする携帯端末装置。
【請求項２】
前記ＩＣカード用端子の一部と前記バッテリ用端子の一部とを前記コネクタ内で導通したことを特徴とする請求項１に記載の携帯端末装置。
【請求項３】
前記コネクタ内で導通する端子がＧＮＤ端子であることを特徴とする請求項２に記載の携帯端末装置。
【請求項４】
前記バッテリ用端子よりも前記ＩＣカード用端子を前記本体部の外周面に近い側に配置したことを特徴とする請求項１〜請求項３のいずれかに記載の携帯端末装置。
【請求項５】
前記ＩＣカード保持部を前記バッテリの外周面に臨んで開口したことを特徴とする請求項４に記載の携帯端末装置。
【発明の詳細な説明】
【０００１】
【発明の属する技術分野】
本発明は、携帯電話機やＰＨＳ等の携帯端末装置に関し、特にＳＩＭ等のＩＣカードを装着可能な携帯端末装置に関する。
【０００２】
【従来の技術】
ＳＩＭ（Ｓｕｂｓｃｒｉｂｅｒ  Ｉｄｅｎｔｉｔｙ  Ｍｏｄｕｌｅ）等のＩＣカードを装着可能な携帯端末装置は特許文献１に開示されている。この携帯端末装置は、電源供給する着脱可能なバッテリにＩＣカードを保持するＩＣカード保持部を備えている。ＩＣカード保持部にＩＣカードを装着してバッテリを本体部に装着することによってＳＩＭによるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）携帯電話サービス等を利用可能になっている。
【０００３】
【特許文献１】
特開２０００−２５３１１９号公報（第４頁−第７頁、第１図）
【０００４】
【発明が解決しようとする課題】
しかしながら、上記従来の携帯端末装置によると、本体部にはＩＣカードの接続端子に接触するＩＣカード用端子を形成したコネクタと、バッテリの電源供給用の接続端子に接触するバッテリ用端子を形成したコネクタとが設けられている。このため、部品点数が多く携帯端末装置のコストが大きくなるとともに、両コネクタのスペースを必要として携帯端末装置が大型になる問題があった。
【０００５】
本発明は、コスト削減及び小型化を図ることのできる携帯端末装置を提供することを目的とする。
【０００６】
【課題を解決するための手段】
上記目的を達成するために本発明は、ＩＣカードを保持するＩＣカード保持部を有したバッテリを本体部に装着して電源供給される携帯端末装置において、ＩＣカードの接続端子に接触できるＩＣカード用端子と前記バッテリの接続端子に接触するバッテリ用端子とを一体に形成したコネクタを前記本体部に設けたことを特徴としている。
【０００７】
この構成によると、ＩＣカード用端子とバッテリ用端子とを有するコネクタが本体部内の回路基板上に取り付けられる。ＩＣカードをバッテリのＩＣカード保持部に装着してバッテリを本体部に装着すると、バッテリの接続端子がバッテリ用端子に接触し、ＩＣカードの接続端子がＩＣカード用端子に接触する。これにより、携帯端末装置に電源が供給されるとともに、ＳＩＭによるＧＳＭ携帯電話サービス等を利用可能になる。
【０００８】
ＩＣカード用端子のＧＮＤ端子等の一部の端子とバッテリ用端子のＧＮＤ端子等の一部の端子とをコネクタ内で導通すると、コネクタを接続する回路基板上のランド部を削減できる。また、バッテリ用端子よりもＩＣカード用端子を本体部の外周面に近い側に配置すると、ＩＣカード保持部をバッテリの外周面に臨んで開口することによってバッテリを装着したままＩＣカードの着脱を行うことができる。
【０００９】
【発明の実施の形態】
以下に本発明の実施形態を図面を参照して説明する。図１は第１実施形態の携帯電話機を示す背面斜視図である。携帯電話機１は本体部１０の表面に操作部や表示部（何れも不図示）を備え、背面にバッテリ装着部１１が設けられている。バッテリ装着部１１は係合爪等によってバッテリ２０を着脱可能に形成され、バッテリ装着部１１にバッテリ２０を装着して本体部１０に電源供給できるようになっている。
【００１０】
図２はバッテリ２０の斜視図を示している。バッテリ２０はバッテリ装着部１１に対面する側に電源供給用の接続端子２１を有している。また、接続端子２１に近接してＩＣカード保持部２２が凹設されている。ＩＣカード保持部２２は、ＳＩＭ、ＵＩＭ（Ｕｓｅｒ  Ｉｄｅｎｔｉｔｙ  Ｍｏｄｕｌｅ）、ＰＣカード等のＩＣカード３０を填め込んで保持できるようになっている。ＩＣカード３０は電源供給及びデータ通信用の接続端子３１を有している。
【００１１】
図１において、バッテリ２０を装着した際に接続端子２１、３１に対向する部分にはコネクタ１２が設けられている。図３はコネクタ１２の詳細を示す平面図である。コネクタ１２は樹脂成形品から成り、本体部１０に内装される回路基板（不図示）に設けられたランド部１５、１６に半田付けして取り付けられている。
【００１２】
また、コネクタ１２には所定のランド部１５、１６に導通するようにバッテリ用端子１３及びＩＣカード用端子１４が設けられている。バッテリ用端子１３、及びＩＣカード用端子１４はバッテリ２０を本体部１０に装着した際にそれぞれ接続端子２１、３１が接触するようになっている。
【００１３】
上記構成の携帯電話機１において、バッテリ２０にＩＣカード３０を装着して本体部１０にバッテリ２０を装着すると、バッテリ２０の接続端子２１とコネクタ１２のバッテリ用端子１３とが接触して携帯電話機１に電源が供給される。これにより、携帯電話機１によって通話や電子メールの送受信を行うことができる。
【００１４】
また、ＩＣカード３０の接続端子３１とコネクタ１２のＩＣカード用端子１４とが接触してＩＣカード３０に電源が供給されるとともにＩＣカード３０と通信可能になる。これにより、ＩＣカード３０を利用することができる。例えば、ＩＣカード３０としてＳＩＭやＵＩＭが装着されると、ＧＳＭやＩＭＴ−２０００等の携帯電話サービスを利用することができる。また、ＩＣカード３０としてメモリカード等のＰＣカードが装着されると、ＰＣカードに格納されたデータ取り出し等を行うことができる。
【００１５】
本実施形態によると、コネクタ１２にＩＣカード用端子１４とバッテリ用端子１３とを一体に形成したので、部品点数を削減して携帯電話機１のコスト削減を図ることができる。また、ＩＣカード用端子１４及びバッテリ用端子１３を省スペースで配置することができ、携帯電話機１の小型化を図ることができる。
【００１６】
次に、図４は第２実施形態の携帯電話機のコネクタ１２を示す平面図である。
説明の便宜上、前述の図１〜図３に示す第１実施形態と同様の部分には同一の符号を付している。本実施形態は、バッテリ用端子１３のＧＮＤ端子（接地端子）１３ａと、ＩＣカード用端子１４のＧＮＤ端子１４ａとをコネクタ１２内で導通させている。その他の部分は第１実施形態と同一である。
【００１７】
本実施形態によると、第１実施形態と同様の効果を得ることができるとともに、コネクタ１２を取り付けるランド部１５またはランド部１６を削減することができる。従って、回路基板（不図示）を小型化して携帯電話機１のより小型化を図ることができる。尚、ＧＮＤ端子１３ａ、１４ａ以外のバッテリ用端子１３の一とＩＣカード用端子１４の一とをコネクタ１２内で導通させてもよい。
【００１８】
次に、図５は第３実施形態の携帯電話機の背面斜視図を示しており、図６はこの携帯電話機２のバッテリ２０の斜視図を示している。説明の便宜上、前述の図１〜図３に示す第１実施形態と同様の部分には同一の符号を付している。本実施形態の携帯電話機２は、本体部１０の底面１０ａにコネクタ１２を近設している。
【００１９】
コネクタ１２は底面１０ａに近い側にＩＣカード用端子１４が配置され、底面１０ａから遠い側にバッテリ用端子１３が配置されている。また、バッテリ２０に設けられるＩＣカード保持部２２が底面１０ａ側の端面に開口部２２ａを臨んで形成されている。その他の部分は第１実施形態と同様である。
【００２０】
本実施形態によると、バッテリ２０を本体部１０に装着した際にＩＣカード保持部２２の開口部２２ａが露出する。このため、バッテリ２０を本体部１０から脱着することなく開口部２２ａを介してＩＣカード３０を着脱することができる。従って、第１実施形態と同様の効果に加え、複数のＩＣカード３０を使用する際にＩＣカード３０の着脱を容易にして携帯電話機２の使用勝手を向上させることができる。
【００２１】
尚、ＩＣカード保持部２２を底面１０ａ側に開口させているが、バッテリ２０の外周面に臨んで開口していればよい。また、第２実施形態と同様に、バッテリ用端子１３の一とＩＣカード用端子１４の一とをコネクタ１２内で導通させてもよい。
【００２２】
第１〜第３実施形態において携帯電話機について説明しているが、ＰＨＳやＰＤＡ、携帯型ゲーム機等の他の携帯端末装置であっても同様の構成により同様の効果を得ることができる。
【００２３】
【発明の効果】
本発明によると、コネクタにＩＣカード用端子とバッテリ用端子とを一体に形成したので、部品点数を削減して携帯端末装置のコスト削減を図ることができる。また、ＩＣカード用端子及びバッテリ用端子を省スペースで配置することができ、携帯端末装置の小型化を図ることができる。
【００２４】
また本発明によると、ＩＣカード用端子の一部とバッテリ用端子の一部とをコネクタ内で導通したので、コネクタを取り付ける回路基板を小型化して携帯端末装置のより小型化を図ることができる。
【００２５】
また本発明によると、バッテリ用端子よりもＩＣカード用端子を本体部の外周面に近い側に配置したので、バッテリを本体部から脱着することなくＩＣカードを着脱することができる。従って、複数のＩＣカードを使用する際にＩＣカードの着脱を容易にして携帯端末装置の使用勝手を向上させることができる。
【図面の簡単な説明】
【図１】は、本発明の第１実施形態の携帯電話機を示す背面斜視図である。
【図２】は、本発明の第１実施形態の携帯電話機のバッテリを示す斜視図である。
【図３】は、本発明の第１実施形態の携帯電話機のコネクタを示す平面図である。
【図４】は、本発明の第２実施形態の携帯電話機のコネクタを示す平面図である。
【図５】は、本発明の第３実施形態の携帯電話機を示す背面斜視図である。
【図６】は、本発明の第３実施形態の携帯電話機のバッテリを示す斜視図である。
【符号の説明】
１、２  携帯電話機
１０    本体部
１０ａ  本体部の底面
１１    バッテリ装着部
１２    コネクタ
１３    バッテリ用端子
１３ａ、１４ａ  ＧＮＤ端子
１４    ＩＣカード用端子
１５、１６  ランド部
２０    バッテリ
２１    接続端子
２２    ＩＣカード保持部
２２ａ  開口部
３０    ＩＣカード
３１    接続端子
【図１】
2004312481.tif 000003
【図２】
2004312481.tif 000004
【図３】
2004312481.tif 000005
【図４】
2004312481.tif 000006
【図５】
2004312481.tif 000007
【図６】
2004312481.tif 000008